(57)【特許請求の範囲】
【請求項１】
トラックの荷箱内に少なくとも洗濯機と乾燥機とを具備して成る洗濯装置付車両において、
前記トラックは運転席が前方に傾倒するティルトキャブ型のトラックであり、一方前記乾燥機は荷箱内の最前部に乾燥機の後部を荷箱の前壁側に位置させて配置されるとともに、この乾燥機が配置された前記前壁には管理窓が開口され、且つこの管理窓を開閉自在な閉鎖体が設けられ、更に前記洗濯機が配置される下方には、流し台が設けられ、この流し台の上方の荷箱の天井には、流し台周辺に水がかかることを防止しながら、この水を流し台上に導く防水カーテンが取り付けられることを特徴とするランドリー車。
【請求項２】
前記洗濯機及び乾燥機へ供給する電源は、外部施設から電気ドラムを介して供給されるとともに、この電気ドラムは、荷台下部に設けられた電気ドラム収納庫に載置されるものであり、この電気ドラム収納庫には、下辺にヒンジを有し開閉自在で、且つ開放角度が調節可能な電気ドラム収納庫扉が設けられることを特徴とする請求項１記載のランドリー車。
【発明の詳細な説明】
【０００１】
【発明の目的】
【産業上の利用分野】
本発明は洗濯装置を搭載した車両に関するもので、特に搭載された洗濯装置のメンテナンス性や作業能率性を向上させる手段に係るものである。
【０００２】
【発明の背景】
病院やホテル等で使用されるカーテンは、長い間放置されてしまうことが多く、見た目よりも汚れているのが現状である。しかしカーテンのクリーニングを通常のクリーニング店で行おうとすれば、カーテンの洗濯には一週間程度の期間を要することから、洗濯中に使用するカーテンの在庫を用意しておかなければならず、費用面や在庫管理のスペースの点で問題がある。そこで病院やホテルでは、人手不足の中、カーテンのメンテナンスをいかに効率的に且つ経済的に行うかが一つの課題となっていた。
【０００３】
このようなことから本出願人は特願平４−２２０５４号「ランドリー車」の特許出願において開示するように、トラックの荷台に洗濯機と乾燥機と作業台とを具えることにより、病院やホテル等へトラックで移動し、その場で、しかも短時間に比較的大量のクリーニングを行うことができる洗濯装置付車両を開発している。この発明によればランドリー車のクリーニングサービスを提供される病院やホテル等では、在庫のカーテンを保有する必要はなくなる。
【０００４】
しかしこのランドリー車はトラックの荷台という比較的狭いスペースに大型の諸設備・機材を搭載しなければならず、メンテナンス性、作業能率性及び洗濯能力の向上などを考えると、これら諸設備・機材の設置及び収納の点などで更なる改善の余地があった。
【０００５】
【開発を試みた技術的事項】
本発明はこのような背景からなされたものであって、諸設備・機材の設置及び収納等を工夫することによりメンテナンス性、作業能率性を向上させたランドリー車の開発を試みたものである。
【０００６】
【発明の構成】
【目的達成の手段】
すなわち請求項１記載のランドリー車は、トラックの荷箱内に少なくとも洗濯機と乾燥機とを具備して成る洗濯装置付車両において、
前記トラックは運転席が前方に傾倒するティルトキャブ型のトラックであり、一方前記乾燥機は荷箱内の最前部に乾燥機の後部を荷箱の前壁側に位置させて配置されるとともに、この乾燥機が配置された前記前壁には管理窓が開口され、且つこの管理窓を開閉自在な閉鎖体が設けられ、更に前記洗濯機が配置される下方には、流し台が設けられ、この流し台の上方の荷箱の天井には、流し台周辺に水がかかることを防止しながら、この水を流し台上に導く防水カーテンが取り付けられることを特徴として成るものである。
【０００７】
また請求項２記載のランドリー車は、前記要件に加え、前記洗濯機及び乾燥機へ供給する電源は、外部施設から電気ドラムを介して供給されるとともに、この電気ドラムは、荷台下部に設けられた電気ドラム収納庫に載置されるものであり、この電気ドラム収納庫には、下辺にヒンジを有し開閉自在で、且つ開放角度が調節可能な電気ドラム収納庫扉が設けられることを特徴として成るものである。
これら発明により前記目的を達成しようとするものである。
【０００８】
【発明の作用】
請求項１記載のランドリー車によれば、乾燥機を荷箱内の最前部に配置してあるため、通路や作業場所を広く取れ、空間利用効率・作業効率を上げることができる。そして乾燥機は乾燥機の後部を荷箱の壁側に位置させて配置されるとともに、その壁には管理窓が開口され閉鎖体が設けられるため、乾燥機の後部や乾燥機に取り付けられる配管類の点検及び修理が容易に行えるものであって、乾燥機を移動するような作業も必要としない。更に乾燥機が配置される前記壁が前壁であるから、乾燥機は隣り合わせに配置される。このため乾燥機の配置を向かい合わせにした場合には、左右の側壁にそれぞれ管理窓を開口しなければならないが、本発明は前壁のみでよい。これに対し乾燥機の配置を向かい合わせにした場合には、乾燥機の前部扉が互いにぶつかるなどの不便があり作業性がよくない。また前壁は運転席の後方であるため風の抵抗も受けにくい。
また洗濯機の下方には流し台が設けられるため、洗濯機を取り除くことによりこの流し台で種々の洗浄ができるものであって、例えばブラインドの洗浄が行える。そして普段は洗濯機の載置台となっているため、作業空間を狭くしない。そして流し台の上方の荷箱の天井には、流し台周辺に水がかからないように防止するとともに、この水を流し台上に導く防水カーテンが取り付けられるために、流し台上で例えばブラインドを天井に吊るして水を霧状に噴出させるノズル等を使用して洗浄を行っても周囲に水がかからず、防水カーテンにかかった水は防水カーテンを伝うなどして防水カーテンにより流し台上に導かれる。
【０００９】
請求項２記載のランドリー車によれば、洗濯機及び乾燥機へ供給する電源は、外部施設から電気ドラムを介して供給されるため、電気コードの収納に優れる。更に電気ドラムは、荷台下部に設けられた電気ドラム収納庫に載置されるため、取り扱いが荷箱外部で行えて作業性に富むとともに、荷箱内に載置されることによって邪魔となるようなことがない。また電気ドラム収納庫には、開放角度が調節可能な電気ドラム収納庫扉が設けられるため、雨天の時等に雨などが降り込まないように電気ドラム収納庫扉の開放角度を調節することができるし、電気ドラムの使用時において車両を少し移動しなければならないときに、電気ドラム収納庫扉を引きずるようなことがない。
【００１０】
【実施例】
以下本発明を図示の実施例に基づいて具体的に説明する。図１中、符号１は本発明たるランドリー車であって、このものは運転席２後方の荷箱３内に洗濯機３１や乾燥機１１等のクリーニング機材を具えて成る。
【００１１】
まずランドリー車１の全体構造について簡単に説明する。このものは一例として二トントラックを改造して製作したもので、図２の横断平面図に示すように荷箱３は、荷台３Ｔの上に前壁３Ａと側壁３Ｂと天板３Ｃと観音開き式のバックドア３Ｄとを設けて構成される。
ランドリー車１の前進方向左側の側壁３Ｂには、中央よりもやや前寄りにサイドドア３Ｂａが設けられる。因みにこのサイドドア３Ｂａは、側壁３Ｂの外側後方へスライドして開けることができるようになっている。
また図１、２に示すようにクリーニング作業時に上記バックドア３Ｄ及びサイドドア３Ｂａを開放した個所には、それぞれ後乗降ステップ４及び横乗降ステップ５が架設される。なお後乗降ステップ４は脱着式とせず、固定式に括り付けておくようにしてもよい。
なお、以降の説明において「左」あるいは「右」という場合には、トラックの前進方向を向いて左側あるいは右側を意味する。
【００１２】
以下荷箱３の構造について詳細に説明する。荷箱３は図２の横断平面図に示すように、荷箱３前方の乾燥機１１を主要部材とする乾燥ゾーン１０と、この乾燥ゾーン１０の後方右側の洗濯機３１を主要部材とする洗濯ゾーン３０と、乾燥ゾーン１０の後方左側の貯留タンク４１、ＬＰＧボンベ４６、電気ドラム５４等を主要部材とする水道水・駆動源ゾーン４０とに大別される。以下これらゾーンごとに区分して説明する。
【００１３】
まず乾燥ゾーン１０について説明する。すなわち図１、２に示されるように荷箱３内の最前部に二台の乾燥機１１が、それぞれの後部を荷箱３の前壁３Ａ側に位置させて並んで設置されている。なおこの各乾燥機１１から延びる排気管１２は、左側の側壁３Ｂ上部に開口された排気口１３に接続されている。なおこの排気口１３にはこの排気口１３を開閉する排気扉１４が具えられている。また一例として乾燥機１１と左側の側壁３Ｂとの間には、漏れたガスを検知して警報を発するガス漏れ警報器６が設けられている。
【００１４】
また前記乾燥機１１の手前には洗濯物を折り畳むための作業台１５が設置されるとともに、一例として乾燥機１１の手前側の天板３Ｃに、折り畳み補助装置２０が設けられる。この折り畳み補助装置２０は図３に示すように、天板３Ｃに固定した複数のＬ金具２１に対して互いに平行に二本のスライドレール２２を設け、これらスライドレール２２にはその一端側に固定挾持杆２３を設けるとともに、可動挾持杆２４をスライドレール２２に対して摺動自在に設けたものである。  そして可動挾持杆２４には、固定挾持杆２３の反対側にスライドレール２２を巻くようにしてコイルバネ２５がそれぞれ設けられ、この伸び傾向によって可動挾持杆２４が常に固定挾持杆２３に圧接傾向にある。また可動挾持杆２４には連絡紐２６が接続し、この連絡紐２６の端部は、滑車２７を介して床面に設けた蝶番状の足踏み具２８における可動片２９に接続される。
【００１５】
因みにこのような折り畳み補助装置２０は、洗濯が終了したカーテンＣを折り畳むときに、狭い荷箱３内で比較的大きなカーテンＣを一人で容易に折り畳むことができるようにしたものであって、使用に際しては、足踏み具２８における可動片２９を足で踏み込むことで可動挾持杆２４を固定挾持杆２３から離した状態とし、可動挾持杆２４と固定挾持杆２３との間にカーテンＣの端部を挟んだ状態で足踏み具２８における可動片２９の足踏みを止めて、カーテンＣを保持させて折り畳み作業を行う。
【００１６】
そして本発明の特徴として、図４に示されるように前記乾燥機１１が配置された前壁３Ａの上部と下部とに、それぞれ管理窓１６が開口され、この管理窓１６を閉鎖体１７により開閉自在としている。なお閉鎖体１７としては、上部の管理窓１６には下方へ回動自在な一枚の管理扉１７Ａが適用され、下部の管理窓１６には二枚のネジ止め式の脱着板１７Ｂが適用されている。その他、閉鎖体１７としては、管理窓１６を閉鎖し得る種々のものが適用できるものであって、例えばシャッターのようなものや、側方スライド式扉のようなものでも構わないし、ビニールシートのようなもので覆う方式を採っても構わない。要は管理窓１６内に雨等が降り込まない程度に開口部を閉鎖し得るものを適宜適用できる。
以上のような管理窓１６を設けることによって、排気管１２やガス供給管４７また乾燥機１１後部を点検・修理する場合に、乾燥機１１を移動する手間などがない。
【００１７】
次に洗濯ゾーン３０について説明する。右側の側壁３Ｂに沿って矩形状の流し台３２が長手方向に設置され、そしてこの上に洗濯ゾーン３０の主要部材である四台の洗濯機３１が隣り合わせに配置される。なお流し台３２の後端には排水口３２ａが設けられており、この排水口３２ａは不使用時には蓋３２ｂで閉塞されている。
なお、本実施例における洗濯機３１は一例として作業能率性、設置スペース性を考慮して一槽式の全自動式のものを採用するが、他の公知の構成のもの、また今後開発されるような構成のものを適宜適用できることももちろん可能である。
【００１８】
また各洗濯機３１の上部には、図５に示されるように蛇口３３が設けられ、一方洗濯機３１の下方には、洗濯機３１の排水ホース３１ａから流れる排水を集めて荷箱３外へ流し出すための集合排水パイプ３４が設けられる。なおこの集合排水パイプ３４の終端には、洗濯機３１使用時に、連結排水パイプ３５が接続され排水升や排水溝等へ排水されるようにする。なおこの集合排水パイプ３４は不使用時には蓋３４ａで閉塞される。
【００１９】
また一例として、図７に示されるように流し台３２上方の天井にはカーテンレール３６が設けられ、このカーテンレール３６に一例として防水カーテン３７が摺動自在に取り付けられている。流し台３２はブラインドＢ等を洗浄するときに、洗濯機３１を取り除いて使用するものであるが、この流し台３２を使用するときに水が側壁３Ｂ等にかからないよう、また防水カーテン３７にかかった水が流し台３２上に導かれるように上記防水カーテン３７が使用される。なおこの防水カーテン３７の下部には使用時に安定した姿勢が保たれるように重り３７ａが設けられている。因みに防水カーテン３７は上述したようにカーテンレール３６を用いて取り付けるほか、例えば適宜のフックで吊るし下げるようにしてもよいし、紐などで縛るようにしてもよい。また洗濯機３１上方の側壁面には折り畳み式の棚３８が設けられている。
【００２０】
次に水道水・駆動源ゾーン４０について説明する。図２、６に示されるように荷箱３の左側の側壁３Ｂ側の後方には３００リットル容量の貯留タンク４１が配置される。この貯留タンク４１は、四台の洗濯機３１で使用する水を溜めておくためのものであって、タンク内の水はこのものに設けられた加圧ポンプ４２によって、荷箱３内の水道水配管４３を介して前記蛇口３３から洗濯機３１へ供給できるようになっている。また貯留タンク４１への給水が行われる給水管４１ａには使用水道水量を計測するための水道メータ４１ｂが設けられている。従ってクリーニング依頼者等の水道水供給者に使用した水道水量に応じた金額が支払われる。また貯留タンク４１の上方の側壁面には、折り畳み式の棚４９が設けられている。なお前記水道水配管４３の加圧ポンプ４２のすぐ上方付近には、蛇口４３ａが一個設けられている。
【００２１】
そして上記貯留タンク４１の前方には、図１にも示されるように他の荷箱３内との空間とを遮断するようにパネル部材等で囲まれたＬＰＧボンベ室４４が形成され、この中に乾燥機１１の燃料であるＬＰＧボンベ４６（一例として１０ｋｇボンベが二本）が載置されている。そして荷箱３の左側の側壁３Ｂには、ＬＰＧボンベ室４４を開放する観音開き式のＬＰＧボンベ室扉４５が設けられている。そしてこのＬＰＧボンベ４６からガス供給管４７が延び、荷台３Ｔ下方を通して前記二台の乾燥機１１に接続されている。以上のようにＬＰＧボンベ室扉４５を荷箱３の側壁３Ｂに沿って荷箱３内に設けることにより、ＬＰＧボンベ４６の交換を作業者が荷箱３に上がらずに行えて楽である。またＬＰＧボンベ室４４と他の荷箱３内の作業場所とが遮られているため、万一使用時にＬＰＧボンベ４６に爆発等が起きても、被害を最小限にくい止めることができるものである。なおこのＬＰＧボンベ室４４の上部は作業台４８として使用されるとともに、ＬＰＧボンベ室４４の前方には、消火器７が設置されている。
【００２２】
また図１、８に示すように、荷台３Ｔの下面側であって、前記貯留タンク４１の下方に位置するあたりには、電気ドラム収納庫５０が設けられ、この中に外部から電気を得るための電気コード５４ａが巻回された電気ドラム５４が二個載置されている。そしてこの電気ドラム５４から荷箱３内壁に設けられたコンセントに配線がそれぞれなされている。なおこれら配線の途中には、使用電力量を計測するためそれぞれ電気メータ５５が設けられる。従ってクリーニング依頼者等の電気供給者に使用電力量に応じた金額が支払うことが可能である。またこの電気ドラム収納庫５０には、下辺にヒンジを有する電気ドラム収納庫扉５１が設けられる。この電気ドラム収納庫扉５１は、通常電気ドラム５４が不使用時には閉じられ、使用時には開放されるが、本発明の特徴として開放角度が調節可能に構成されている。これは電気ドラム５４を使用しているときにランドリー車１を少し移動しなければならないときや、雨天のとき等に雨などが降り込まないように、少し開放したところで係止できるようにするためである。具体的には、図８に示すように電気ドラム収納庫扉５１の上片には閂５２が具えられ、一方荷台３Ｔには突出された状態の閂５２を係止する係止片５３が設けられている。
【００２３】
本発明のランドリー車１は以上述べた構造を有するものであり、以下このものを使用してカーテンＣの洗濯を行う作業手順について説明する。
（ｉ）作業場所への移動及びランドリー車の準備
まずランドリー車１を電気及び貯留タンク４１への水の供給が可能なあらかじめ打ち合わせされた個所に駐車する。そしてバックドア３Ｄ及びサイドドア３Ｂａを開放し、それぞれの開放個所に後乗降ステップ４及び横乗降ステップ５を架設する。次に水道メータ４１ｂ及び電気メータ５５の使用前数値を記入する。そして貯留タンク４１の給水管４１ａに給水ホースを接続し、貯留タンク４１へ給水を始める。また集合排水パイプ３４の終端に、連結排水パイプ３５を接続し、この連結排水パイプ３５の終端を排水升や排水溝内等に挿入する。
更にアース線の接続を行った後に電気ドラム５４の電気コード５４ａを延ばして建物等から電気を引き込む。
次に排気口１３の開放を行い、ＬＰＧボンベ４６のバルブを開放する。そして適宜洗濯機３１内の洗濯槽の揺動防止として取り付けておいたパッキンを取り外す。
なお作業準備の一環として、あらかじめ貯留タンク４１に水を満タンにしておいたり、電気の供給が困難な場合を想定して発電機を搭載しておいてもよい。
【００２４】
（ii）カーテンの取り外しとヒルカン処理
洗濯の準備が完了したら、病室等のカーテンＣをカーテンレールから取り外してランドリー車１に集める。また取り外したカーテンＣは、そのままの状態で洗濯機３１にかけるとヒルカンがカーテン生地や洗濯機３１を傷めることがあるため、ヒルカン同士をまとめて、これをネットで覆い、紐等で縛っておくというヒルカン処理を行う。なお、ホテルの窓のカーテンＣなど生地が厚くヒダの多いものでは、ヒルカンも比較的高級なものを使用するが、このようなカーテンＣではヒルカンをカーテンＣから取り外して洗濯を行う。
【００２５】
（iii)洗濯
ヒルカン処理したカーテンＣを洗濯機３１の中に入れ、蛇口３３から貯留タンク４１内の水を洗濯機３１に供給して洗剤を入れて洗濯を行う。なお、本実施例の洗濯機３１は全自動式であるため、すすぎないし脱水までの工程を連続的に行う。また洗濯排水は、排水ホース３１ａ、集合排水パイプ３４、連結排水パイプ３５を順次通って排水される。
【００２６】
（iv）乾燥
洗濯及び脱水の完了したカーテンＣを乾燥機１１へ移して乾燥を行う。なお乾燥機１１の燃料を従来の灯油に変えＬＰＧとしたため、燃料補給することなく長時間の使用が可能である。因みに洗濯機３１へ水を供給してから乾燥を終了するまでに要する時間は５５分程度である。
【００２７】
（ｖ）折り畳みとカーテンの取り付け
乾燥が終了したら前記ヒルカン処理を解除して、作業台１５、４８上でアイロンを掛け、次にこれを折り畳み補助装置２０における可動挾持杆２４と固定挾持杆２３との間に挟んで折り畳み作業を行う。ある程度小さくカーテンＣを折り畳んだら、再び折り畳まれたカーテンＣを作業台１５、４８上に乗せ、仕上げのアイロン掛けを行いながら最終的な折り畳み作業を行う。
そして折り畳んだカーテンＣを元の病室等に搬入して、洗濯されたカーテンＣをカーテンレールに取り付ける。
以上までのカーテンＣの取り外しから洗濯、乾燥、カーテンＣの取り付けまでの作業は、洗濯機３１四台分のカーテンＣの量で作業員が三人で行うとすると、およそ所要時間は１時間３０分〜２時間程度である。因みに次の作業またはすでに完了した作業におけるカーテンＣの取り外しや取り付けの作業は、洗濯、乾燥等の工程の間に行えるため、前記洗濯機３１四台分のカーテンＣの量のクリーニング工程（以下、１サイクルと呼称する）を三回行った場合であっても実質的には三時間弱で行え、非常に短時間に大量のクリーニングが行える。
【００２８】
（vi）作業終了
上記１サイクルを一日に例えば八回程度行ったらその日の作業を終了する。具体的には貯留タンク４１内の水抜きを行い、洗濯機３１にパッキンを取り付けるとともに、乾燥機１１のフィルターの清掃、ＬＰＧボンベ４６のバルブ締め、排気口１３の閉鎖、水道水供給ホース・電気コード５４ａ・アース線・連結排水パイプ３５の巻き込みなどの終業作業を行う。
【００２９】
なお以上のような洗濯、乾燥、折り畳み等の荷箱３内での作業が、乾燥機１１が荷箱３の最前部に配置されているため手際よく行える。すなわち乾燥機１１を図示状態における洗濯機３１や貯留タンク４１の位置などへ配置換えすると、乾燥機１１は洗濯機３１や貯留タンク４１に比べ大型なため、通路が狭くなり、荷箱３内の前後方向の往来が特に大変となる。
【００３０】
（vii)メンテナンス
また乾燥機１１やこの乾燥機１１に接続される配管類のメンテナンスとして定期的、あるいは適宜故障したときに乾燥機１１後方側の点検・修理等を行う場合には、まずランドリー車１の運転席２を前方へ傾倒する。そして前壁３Ａの上部と下部に設けられた閉鎖体１７を開放し、管理窓１６から乾燥機１１や乾燥機１１に接続される配管類等の点検・修理を行う。
【００３１】
（viii) ブラインドの洗浄
また本発明のランドリー車１は、基本的に洗濯機３１を使用したクリーニングを基本とするものであるが、依頼者の要望等によりブラインドＢの洗浄クリーニングも行い得るものである。以下流し台３２を使用したブラインドＢの洗浄について説明する。まず流し台３２を使用する際には、洗濯機３１を流し台３２上から荷箱３外部など他の個所へ移動する。そして排水口３２ａに連結排水パイプ３５を接続し、排水升や排水溝へ挿入する。更に図７に示すようにブラインドＢを天井に吊るして防水カーテン３７によって流し台３２の左辺側を除いて流し台３２周辺を囲う。以上のように準備が整ったら、水を霧状に噴出するノズル３９ａを取り付けたホース３９を、適宜の蛇口３３、４３ａに接続してブラインドＢの洗浄を行う。このとき防水カーテン３７がなされているため水は側壁３Ｂ等にかからず、また防水カーテン３７にかかった水は防水カーテン３７を伝うなどして防水カーテン３７により流し台３２上に導かれる。
【００３２】
【発明の効果】
請求項１記載のランドリー車によれば、乾燥機１１を荷箱３内の最前部に配置してあるため、通路や作業場所を広く取れ、空間利用効率・作業効率を上げることができる。そして乾燥機１１は乾燥機１１の後部を荷箱３の壁側に位置させて配置されるとともに、その壁には管理窓１６が開口され閉鎖体１７が設けられるため、乾燥機１１の後部や乾燥機１１に取り付けられる配管類の点検及び修理が容易に行えるものであって、乾燥機１１を移動するような作業も必要としない。更に乾燥機１１が配置される前記壁が前壁３Ａであるから、乾燥機１１は隣り合わせに配置される。このため乾燥機１１の配置を向かい合わせにした場合には、左右の側壁３Ｂにそれぞれ管理窓１６を開口しなければならないが、本発明は前壁３Ａのみでよい。これに対し乾燥機１１の配置を向かい合わせにした場合には、乾燥機１１の前部扉が互いにぶつかるなどの不便があり作業性がよくない。また前壁３Ａは運転席２の後方であるため風の抵抗も受けにくい。
また洗濯機３１の下方には流し台３２が設けられるため、洗濯機３１を取り除くことによりこの流し台３２で種々の洗浄ができるものであって、例えばブラインドＢの洗浄が行える。そして普段は洗濯機３１の載置台となっているため、作業空間を狭くしない。そして流し台３２の上方の荷箱３の天井には、流し台３２周辺に水がかからないように防止するとともに、この水を流し台３２上に導く防水カーテン３７が取り付けられるために、流し台３２上で例えばブラインドＢを天井に吊るして水を霧状に噴出させるノズル３９ａ等を使用して洗浄を行っても周囲に水がかからず、防水カーテン３７にかかった水は防水カーテン３７を伝うなどして防水カーテン３７により流し台３２上に導かれる。
【００３３】
請求項２記載のランドリー車によれば、洗濯機３１及び乾燥機１１へ供給する電源は、外部施設から電気ドラム５４を介して供給されるため、電気コード５４ａの収納に優れる。更に電気ドラム５４は、荷台３Ｔ下部に設けられた電気ドラム収納庫５０に載置されるため、取り扱いが荷箱３外部で行えて作業性に富むとともに、荷箱３内に載置されることによって邪魔となるようなことがない。また電気ドラム収納庫５０には、開放角度が調節可能な電気ドラム収納庫扉５１が設けられるため、雨天のとき等に雨などが降り込まないように電気ドラム収納庫扉５１の開放角度を調節することができるし、電気ドラム５４を使用しているときに車両を少し移動しなければならないときに、電気ドラム収納庫扉５１を引きずるようなことがない。
【図面の簡単な説明】
【図１】本発明のランドリー車の荷箱内部を透視して示す斜視図である。
【図２】同上横断平面図である。
【図３】折り畳み補助装置の構成を示す斜視図である。
【図４】本発明のランドリー車の前壁側の構成を示す斜視図である。
【図５】洗濯機への給水経路及び洗濯機への排水経路を示す正面図である。
【図６】荷箱内部を荷箱の後方から見た状態を示す斜視図である。
【図７】流し台を使用してブラインドの洗浄を行っている様子を示す斜視図である。
【図８】電気ドラム収納庫を拡大して示す斜視図である。
【符号の説明】
１      ランドリー車
２      運転席
３      荷箱
３Ｔ    荷台
３Ａ    前壁
３Ｂ    側壁
３Ｂａ  サイドドア
３Ｃ    天板
３Ｄ    バックドア
４      後乗降ステップ
５      横乗降ステップ
６      ガス漏れ警報器
７      消火器
１０    乾燥ゾーン
１１    乾燥機
１２    排気管
１３    排気口
１４    排気扉
１５    作業台
１６    管理窓
１７    閉鎖体
１７Ａ  管理扉
１７Ｂ  脱着板
２０    折り畳み補助装置
２１    Ｌ金具
２２    スライドレール
２３    固定挾持杆
２４    可動挾持杆
２５    コイルバネ
２６    連絡紐
２７    滑車
２８    足踏み具
２９    可動片
３０    洗濯ゾーン
３１    洗濯機
３１ａ  排水ホース
３２    流し台
３２ａ  排水口
３２ｂ  蓋
３３    蛇口
３４    集合排水パイプ
３４ａ  蓋
３５    連結排水パイプ
３６    カーテンレール
３７    防水カーテン
３７ａ  重り
３８    棚
３９    ホース
３９ａ  ノズル
４０    水道水・駆動源ゾーン
４１    貯留タンク
４１ａ  給水管
４１ｂ  水道メータ
４２    加圧ポンプ
４３    水道水配管
４３ａ  蛇口
４４    ＬＰＧボンベ室
４５    ＬＰＧボンベ室扉
４６    ＬＰＧボンベ
４７    ガス供給管
４８    作業台
４９    棚
５０    電気ドラム収納庫
５１    電気ドラム収納庫扉
５２    閂
５３    係止片
５４    電気ドラム
５４ａ  電気コード
５５    電気メータ
Ｂ      ブラインド
Ｃ      カーテン
【図１】
0003593571.tif 000002
【図２】
0003593571.tif 000003
【図３】
0003593571.tif 000004
【図４】
0003593571.tif 000005
【図５】
0003593571.tif 000006
【図６】
0003593571.tif 000007
【図７】
0003593571.tif 000008
【図８】
0003593571.tif 000009